(57)【特許請求の範囲】
【請求項１】
円筒形懐中電灯（２１）において、
半径方向に突き出た複数の隆起部（５）を有する少なくとも一つのリング部材（１）が、この懐中電灯（２１）と取り外し可能な形で連結されており、これらの隆起部が、組み立てられた状態で円筒形懐中電灯（２１）の表面から間隔を開けた領域となる部分を有し、懐中電灯筐体（２２）が、その後方側をエンドキャップ（２４）と取り外し可能な形で連結されるか、その前方側をランプヘッド（２３）と取り外し可能な形で連結されるか、或いはその両方の形で連結され、このエンドキャップ（２４）及び／又はランプヘッド（２３）が、ネジ山接続部（２５，２５’）により懐中電灯筐体（２２）と連結され、リング部材（１）は、懐中電灯（２１）と取り外し可能な形で固定されるために、
ａ）懐中電灯筐体（２２）とエンドキャップ（２４）の間、或いは
ｂ）懐中電灯筐体（２２）とランプヘッド（２３）の間、
で形状締結形態で支持されることを特徴とする円筒形懐中電灯。
【請求項２】
請求項１に記載の円筒形懐中電灯（２１）において、
リング部材（１）が、その横断面をＬ字形状に構成されるとともに、組み立てられた状態で懐中電灯（２１）の周囲を取り囲む一方の部分領域（６）を有する一方、他方の部分領域（７）が、
ａ）エンドキャップ（２４）、
ｂ）懐中電灯筐体（２２）、或いは
ｃ）ランプヘッド（２３）
の正面部分との当接面（８，８’）を構成することを特徴とする円筒形懐中電灯。
【請求項３】
請求項１から２までのいずれか一つに記載の円筒形懐中電灯（２１）において、
ａ）当該の隆起部（５）が半球形又は半円筒形に形成されているか、或いは
ｂ）リング部材（１）が半径方向に突き出た複数の隆起部（５）に替えて、多角形の周回線を有する、
ことを特徴とする円筒形懐中電灯。
【請求項４】
円筒形懐中電灯（２１）の転動防止に用いるリング部材において、
このリング部材（１）が、懐中電灯（２１）と取り外し可能な形で連結できるとともに、半径方向に突き出た複数の隆起部（５）を有し、これらの隆起部が、組み立てられた状態で懐中電灯（２１）の円筒形の平面から間隔を開けた部分を有し、このリング部材（１）が、その横断面をＬ字形状に構成されるとともに、組み立てられた状態で懐中電灯（２１）の周囲を取り囲む一方の部分領域（６）を有する一方、他方の部分領域（７）が、
ａ）エンドキャップ（２４）、
ｂ）懐中電灯筐体（２２）、或いは
ｃ）ランプヘッド（２３）
の正面部分との当接面（８，８’）を構成することを特徴とするリング部材。
【請求項５】
請求項４に記載のリング部材において、
ａ）当該の隆起部（５）が半球形又は半円筒形に形成されているか、或いは
ｂ）リング部材（１）が半径方向に突き出た複数の隆起部（５）に替えて、多角形の周回線を有する、
ことを特徴とするリング部材。
【請求項６】
請求項４または５に記載のリング部材において、
このリング部材（１）がワンピース部材としてアルミニウム又はプラスチックから構成されていることを特徴とするリング部材。
【請求項７】
請求項４から６までのいずれか一つに記載のリング部材において、
当該の隆起部（５）の部分であって、組み立てられた状態で、円筒形懐中電灯（２１）の表面から間隔を開けた領域となる部分が、設置面（３）として構成されていることを特徴とするリング部材。
【発明の詳細な説明】
【技術分野】
【０００１】
本発明は、円筒形懐中電灯と円筒形懐中電灯の転動防止に用いるリング部材とに関する。
【背景技術】
【０００２】
懐中電灯は、ほぼ任意の形状形態で入手可能である。しかし、特に、円筒形懐中電灯が、一方では簡単に製造可能であり、他方ではその形状形態のために非常に頑丈であるために市場に出回っている。この場合、例えば、懐中電灯筐体、エンドキャップ、ランプヘッドなどの懐中電灯の個々の構成部品に相応のネジ山部分を配備して、それにより、これらの部分を簡単かつ素早く組み立てられることが特に実用的であることが分かっている。更に、円筒形懐中電灯は、手の中に良好に収まり、ユーザーに良好な触感を与える。
【０００３】
しかし、円筒形懐中電灯は、傾斜した面に置いた場合や減速又は加速する自動車、列車又はそれ以外の輸送手段の保管庫に置いた場合に転動する傾向が有ることが欠点である。そのような理由から、特許文献１に記載された懐中電灯のランプヘッドは、懐中電灯を置いた場合に転がらないように正多角形に形成されている。それに代わって、軸方向に延びるフィンを配備することもできる。
【０００４】
そのような形態の欠点は、懐中電灯の各購入者が同じ使用目的のために懐中電灯を必要としている訳ではなく、そのため、懐中電灯の円筒形と異なる非対称形の形態が望ましくない場合も有る。特に、懐中電灯が昼間リュックサック又はそれ以外の運搬用品内で運ばれ、稀にしか使用されないアウトドア分野では、そのような懐中電灯は角及び尖端を持っているために、その部分でリュックサック内に詰め込まれて残っている荷物の壊れ易い材質が損傷する可能性が有る。更に、円筒形と異なる形状形態の懐中電灯は比較的重く、そのことは、同じく特に、時には数グラムが気になるアウトドア分野では欠点であることが分かっている。
【０００５】
そのような理由から、多くの購入者が、それぞれ異なる使用目的のために構成された二つの異なる懐中電灯を購入しなければならないか、或いは所定の使用目的に最適には適合しない二つの懐中電灯の中の一方に決めなければならないことが欠点である。
【先行技術文献】
【特許文献】
【０００６】
【特許文献１】ドイツ特許第２９５０８５０号明細書
【発明の概要】
【発明が解決しようとする課題】
【０００７】
以上のことから、本発明の課題は、懐中電灯を所要の条件に適合させることができる、特に、転動を防止した形又は転動を防止しない形に懐中電灯を選択的に構成する手段を提供することである。
【課題を解決するための手段】
【０００８】
本課題は、請求項１に記載の円筒形懐中電灯及び請求項６に記載のリング部材によって解決される。
【０００９】
本発明の第一の観点では、円筒形懐中電灯は、懐中電灯と連結される、半径方向に突き出た複数の隆起部を有する少なくとも一つのリング部材を備えており、これらの隆起部が、組み立てられた状態で円筒形懐中電灯の表面から間隔を開けた領域となる平坦な部分を有する。
【００１０】
本発明の別の観点では、円筒形懐中電灯の転動防止に用いるリング部材は、懐中電灯と取り外し可能な形で連結できるとともに、半径方向に突き出た複数の隆起部を有し、これらの隆起部は、組み立てられた状態で懐中電灯の円筒表面から間隔を開けた平坦な部分を有する。これらの平坦な部分は、設置面としての役割を果たし、そのため、リング部材を備えた懐中電灯を置いた場合、本懐中電灯は、置かれた面が動いたり、傾斜した場合でも意図せずに転動できない。しかし、ユーザーが本懐中電灯を長い時間使用しないで、意図しない転動を許す場合、本懐中電灯が再び円筒形となるように、このリング部材を懐中電灯から取り外すことができる。それと逆に、転動防止機能を果たすように、このリング部材を再び懐中電灯に素早く固定することもできる。
【００１１】
本発明の有利な実施構成は、以下の記述及び従属請求項に記載されている。
【００１２】
本発明の第一の有利な実施形態では、懐中電灯は、懐中電灯筐体を有し、この懐中電灯筐体は、その後方側をエンドキャップと取り外し可能な形で連結されるか、その前方側をランプヘッドと取り外し可能な形で連結されるか、或いはその両方の形で連結され、このエンドキャップ及び／又はランプヘッドは、有利には、ネジ山接続部により懐中電灯筐体と連結される。それに代わって、或いはそれに追加して、このランプヘッドは、ランプヘッドネック部を間に介して懐中電灯筐体と連結することもでき、その場合、これらのランプヘッドとランプヘッドネック部の間には、同じく有利には、ネジ山接続部が配備される。そのように構成された懐中電灯は、簡単に製造できると共に、素早く組み立てられ、そのことは、特に、リング部材を懐中電灯と連結するか、或いは懐中電灯から取り外す場合に有利である。即ち、有利には、リング部材は、懐中電灯筐体とエンドキャップの間又は懐中電灯筐体とランプヘッドの間で形状締結形態で支持される。それに代わるランプヘッドとランプヘッドネック部による形態の場合、任意選択により、それらの構成部品の間にリング部材を配置することもできる。更に、二つのリング部材を懐中電灯の異なる場所に固定することもできる。
【００１３】
別の有利な実施構成では、リング部材が、その横断面をＬ字形状に構成され、組み立てられた状態で懐中電灯の周囲を取り囲む一方の部分領域を有する一方、他方の部分領域が懐中電灯筐体のエンドキャップ又はランプヘッドの正面部分との当接面として構成される。そのため、リング部材を間に挟まない場合に、それにより懐中電灯の機能に殆ど影響を与えない形で懐中電灯の構成部品を組み立てることができるように、当接面としての役割を果たす部分領域を出来る限り小さくすることが可能である。それと同時に、当接面、即ち、懐中電灯の周囲を取り囲む部分の大きさは制限されず、それにより、リング部材の、そのため当接面の最適な大きさを自由に選定することができる。
【００１４】
本発明の別の有利な実施構成では、リング部材はワンピース部材としてアルミニウム又はプラスチックから製造され、そのことは、製造コストと懐中電灯の重量の両方を低減する。
【００１５】
有利には、隆起部の平坦な部分は、設置面として構成され、アルミニウム製リング部材の場合、これらの平坦な部分にプラスチックコーティングを配備することもでき、それにより、懐中電灯が滑り落ちることが効果的に防止される。
【００１６】
以下において、本発明の具体的な実施形態と更に別の有利な実施構成を図面に基づき説明する。
【図面の簡単な説明】
【００１７】
【図１ａ】リング部材の異なる実施構成図
【図１ｂ】リング部材の異なる実施構成図
【図１ｃ】リング部材の異なる実施構成図
【図１ｄ】リング部材の異なる実施構成図
【図１ｅ】リング部材の横断面図
【図２ａ】リング部材を備えた懐中電灯の分解図
【図２ｂ】リング部材を取り付けた懐中電灯の模式図
【図２ｃ】リング部材を取り付けた懐中電灯の模式図
【図２ｄ】リング部材を取り付けた懐中電灯の模式図
【図２ｅ】リング部材を取り付けた懐中電灯の模式図
【発明を実施するための形態】
【００１８】
転動を防止する役割を果たすリング部材１は、円形のガイド穴２を有する。リング部材１の周縁部は、円形と異なる形で構成されており、設置面３として構成された平坦な部分を有する。異なる幾何形状の周回線が規定されており、例えば、図１ａと１ｂに図示されている多角形の形態が有利である。図１ａは、６個の設置面３を有する実施構成を図示し、図１ｂは、１０個の設置面３を有する実施構成を図示している。対称形のリング部材１に少ない設置面３を配備する程、設置面３の幅ｂが大きくなり、それにより、懐中電灯の設置状態が比較的安定する。しかし、設置面３が比較的少ない実施形態では、頂点の尖端４が鋭くなり、それにより、それ以外の物品を損傷させる虞が高まる。従って、有利な実施形態では、尖端４を丸く構成することもできる（矢印５）。
【００１９】
基本的に多角形の形（図１ａ，１ｂ）の外に、リング部材１のそれ以外の形状形態、例えば、設置面３が半球形又はフィン形状の隆起部５から構成される形態も考えられる。そのような実施構成は、外観が魅力的であり、更に、より良好な触感をユーザーに与える。
【００２０】
リング部材１は、その横断面をＬ字形状に構成され（図１ｅ）、組み立てられた状態（図２ｂ〜２ｅ）で懐中電灯２１の周囲を取り囲む外側の部分領域６を有する。そのために、この外側の部分領域６の半径Ｒ１は、懐中電灯２１のそれに対応する部分上でスライド可能な大きさに規定される。リング部材１の内側の部分領域７は、組み立てられた状態（図２ｂ〜２ｅ）でリング部材１を間に挟んで形状締結形態で支持する懐中電灯２１の部分に対する当接面８，８’として構成されている。そのために、リング部材１の内側の部分領域７の半径Ｒ２は、リング形状の当接面８，８’が懐中電灯２１の正面部分と接触するような大きさに規定される。
【００２１】
図２ａ〜２ｄは、懐中電灯２１とそこに配置されたリング部材１の異なる具体的な実施構成を図示しており、図２ａは、分解図を図示している。この懐中電灯２１は、基本的に円筒形状であり、互いに対応するネジ山接続部２５，２５’を有する、懐中電灯筐体２２、ランプヘッド２３及びエンドキャップ２４から構成されている。図２ａに例示されている通り、リング部材１の大きさは、そのリング部材を矢印方向２６にネジ山接続部２５を越えて、当接面８’がエンドキャップ側の当接面２７と当接するまでスライドさせることができる大きさに規定される。次に、懐中電灯筐体２２を捩じ込むことによって、リング部材１は形状締結形態で固定される。
【００２２】
図２ｂと２ｃは、異なる懐中電灯２１を図示しており、リング部材１が、それぞれエンドキャップ２４と懐中電灯筐体２２の間で支持されている。図２ｃ〜２ｅによる懐中電灯は、ランプヘッド２３に追加して、ランプヘッドネック部２８を備えており、それらの間に、同じく場合によっては比較的大きなリング部材１を配置することができる。図２ｄは、ランプヘッド２３とランプヘッドネック部２８の間にリング部材１を備えた実施構成を図示し、図２ｅは、ランプヘッド２３とランプヘッドネック部２８の間及び懐中電灯筐体２２とエンドキャップ２４の間にリング部材１を配置した実施構成を図示している。
【符号の説明】
【００２３】
１    リング部材
２    ガイド穴
３    設置面
４    丸くされた尖端
５    隆起部
６    外側の部分領域
７    内側の部分領域
８，８’  当接面
２１    懐中電灯
２２    懐中電灯筐体
２３    ランプヘッド
２４    エンドキャップ
２５，２５’  ネジ山接続部
２６    矢印方向
２７    当接面
２８    ランプヘッドネック部
Ｂ    設置面の幅
Ｒ１  外側の部分領域の半径
Ｒ２  内側の部分領域の半径
【図１ａ】
0005885365.tif 000002
【図１ｂ】
0005885365.tif 000003
【図１ｃ】
0005885365.tif 000004
【図１ｄ】
0005885365.tif 000005
【図１ｅ】
0005885365.tif 000006
【図２ａ】
0005885365.tif 000007
【図２ｂ】
0005885365.tif 000008
【図２ｃ】
0005885365.tif 000009
【図２ｄ】
0005885365.tif 000010
【図２ｅ】
0005885365.tif 000011